(57)【要約】  本発明は、複数の加熱板（１２）を有する二つの関節接合された顎（２）を含むヘアスタイリング装置（１）に関する。前記装置は、少なくとも一つのカートリッジ（３）を含み、前記カートリッジ（３）は、使用時に液体を含み、前記カートリッジ（３）は、超音波変換器（９）を含み、前記超音波変換器（９）は、微穿孔（１４）を有し、前記微穿孔（１４）は、使用時に液体が液滴の分散体へと変換されることを可能とし、前記少なくとも一つのカートリッジ（３）は、出口（１５）を含み、前記出口（１５）は、前記加熱板（１２）の少なくとも一つに配置された送達キャビティ（１６）を通して前記液滴の分散体を放出口（１１）へと送達する。【選択図】  図２
2020501645.tif 000002
【特許請求の範囲】
【請求項１】
複数の加熱板（１２）を有する二つの関節接合された顎（２）を含むヘアスタイリング装置（１）であって、前記装置は、少なくとも一つのカートリッジ（３）を含み、前記カートリッジ（３）は、使用時に液体を含み、前記カートリッジ（３）は、超音波変換器（９）を含み、前記超音波変換器（９）は、微穿孔（１４）を有し、前記微穿孔（１４）は、使用時に液体が液滴の分散体へと変換されることを可能とし、前記少なくとも一つのカートリッジ（３）は、出口（１５）を含み、前記出口（１５）は、前記加熱板（１２）の少なくとも一つに配置された送達キャビティ（１６）を通して前記液滴の分散体を放出口（１１）へと送達することを可能にすることを特徴とするヘアスタイリング装置。
【請求項２】
前記装置は、変換器の振動の周波数及び／又は振幅を調整するための手段を含むことを特徴とする、請求項１に記載のヘアスタイリング装置。
【請求項３】
前記装置は、顎の開放時の変換器の強度をサーボ制御するための手段を含み、前記サーボ制御手段は、変換器の振動の周波数及び／又は振幅を調整するための手段に連結された、顎の開放度合いを検出するための手段を含むことを特徴とする、請求項２に記載のヘアスタイリング装置。
【請求項４】
前記カートリッジ（３）は、貯蔵器（６）、及び変換器（９）と貯蔵器（６）を接続する移行空間（７）を含み、前記移行空間（７）は、前記変換器（９）の近くに継続的な湿気を維持するための手段を提供する吸収体要素（８）を含むことを特徴とする、請求項１〜３のいずれかに記載のヘアスタイリング装置。
【請求項５】
前記カートリッジ（３）は、溝（１８）を含み、その中に、超音波変換器（９）を含む取り付けリング（１３）が取り付けられていることを特徴とする、請求項１〜４のいずれかに記載のヘアスタイリング装置。
【請求項６】
前記カートリッジ（３）は、顎（２）内に与えられている受け入れ中空部（５）の中に除去可能に設置されていることを特徴とする、請求項１〜５のいずれかに記載のヘアスタイリング装置。
【請求項７】
前記装置は、貯蔵器（６）の充填レベルを検出するためのプローブを含むことを特徴とする、請求項１〜６のいずれかに記載のヘアスタイリング装置。
【請求項８】
前記装置は、液滴の分散体を照明するための手段（１９）を含むことを特徴とする、請求項１〜７のいずれかに記載のヘアスタイリング装置。
【請求項９】
伝導性材料から作られたカバー板（３０）が顎（２）の上に取り付けられており、顎（２）は、伝導及び／又は放射によって二つの加熱板（２）のうちの少なくとも一つによって使用時に加熱されることができることを特徴とする、請求項１〜８のいずれかに記載のヘアスタイリング装置。
【請求項１０】
前記装置は、加熱板の温度の指示器を含むことを特徴とする、請求項１〜９のいずれかに記載のヘアスタイリング装置。
【請求項１１】
放出口（１１）の寸法は、液滴の流量を均一にするために、ヘアスタイリング装置（１）の末端に向かって増大することを特徴とする、請求項１〜１０のいずれかに記載のヘアスタイリング装置。
【請求項１２】
様々な異なる付属品（２０）が、顎（２）の輪郭にわたって挿入されることができることを特徴とする、請求項１〜１１のいずれかに記載のヘアスタイリング装置。
【発明の詳細な説明】
【技術分野】
【０００１】
本発明は、ヘアスタイリング装置の分野に関し、特に、髪のふさを湿潤させるための装置を含むヘアストレート化アイロンの分野に関する。
【背景技術】
【０００２】
ヘアストレート化アイロン又はストレートナーは、当該技術分野では周知である。髪のスタイリング及びストレート化のための装置の大部分は、加熱板を含む二つの顎の間に髪のふさを通過させるという原理に基づいている。ストレート化効果を改良するために、髪のふさが加熱される時にそれらの上に水を噴霧することが提案されている。これにより、ヘアスタイリングの時間が有意に減少される。
【０００３】
文献ＵＳ６１１９７０２；ＵＳ６０２９６７７及びＵＳ６３２５０７２は、複数の加熱板を含む二つの顎を有するヘアストレートナーであって、加熱板のうちの一つが穿孔されているものを開示する。蒸発させられた水は、孔を貫通し、二つの顎の間に配置されている髪のふさに到達する。しかし、装置を使用する前に、使用者は、水が十分に加熱されて蒸発させられるまで待たなければならない。
【０００４】
文献ＵＳ９０９５１９６は、二つの顎のそれぞれに配置された二つの加熱板と、二つの顎のうちの一方に配置されたカートリッジを有するアイロンを開示する。カートリッジは、液体の髪処理剤を含む貯蔵器と、圧電変換器などの超音波プローブを含む。圧電変換器は、それが活性化されたときに振動し、貯蔵器中に含まれる液体髪処理剤の液滴の噴霧を生じることを可能にする。カートリッジ中の分散した髪処理剤は、二つの顎の間で噴霧化され、髪をストレート化することを可能にする。
【発明の概要】
【発明が解決しようとする課題】
【０００５】
本発明の目的は、従来技術の欠点を克服することである。特に、本発明の目的は、加熱板の間に把持された髪のふさを即座にかつ均一に湿潤させるための手段を提供するヘアストレート化アイロンの形のヘアスタイリング装置を提供することである。
【課題を解決するための手段】
【０００６】
本発明は、複数の加熱板を有する二つの関節接合された顎を含むヘアスタイリング装置であって、前記装置は、少なくとも一つのカートリッジを含み、前記カートリッジは、使用時に液体を含み、前記カートリッジは、超音波変換器を含み、前記超音波変換器は、微穿孔を有し、前記微穿孔は、使用時に液体が液滴の分散体へと変換されることを可能とし、前記少なくとも一つのカートリッジは、出口を含み、前記出口は、前記加熱板の少なくとも一つに配置された送達キャビティを通して前記液滴の分散体を放出口へと送達することを可能にすることを特徴とするヘアスタイリング装置を開示する。
【０００７】
本発明は、以下の特徴の少なくとも一つ又は好適な組み合わせを含む：
−  前記装置は、変換器の振動の周波数及び／又は振幅を調整するための手段を含む。
−  前記装置は、顎の開放時の（ｕｐｏｎ  ｏｐｅｎｉｎｇ  ｏｆ  ｔｈｅ  ｊａｗｓ）変換器の強度をサーボ制御するための手段を含み、前記サーボ制御手段は、変換器の振動の周波数及び／又は振幅を調整するための手段に連結された、顎の開放度合いを検出するための手段を含む。
−  前記カートリッジは、貯蔵器、及び変換器と貯蔵器を接続する移行空間を含み、前記移行空間は、前記変換器の近くに継続的な湿気を維持するための手段を提供する吸収体要素を含む。
−  前記カートリッジは、溝を含み、その中に、超音波変換器を含む取り付けリングが取り付けられている。
−  前記カートリッジは、顎内に与えられている受け入れ中空部の中に除去可能に設置されている。
−  前記装置は、貯蔵器の充填レベルを検出するためのプローブを含む。
−  前記装置は、液滴の分散体を照明するための手段を含む。
−  伝導性材料から作られたカバー板が顎の上に取り付けられており、顎は、伝導及び／又は放射によって二つの加熱板のうちの少なくとも一つによって使用時に加熱されることができる。
−  前記装置は、加熱板の温度の指示器を含む。
−  放出口の寸法は、液滴の流量を均一にするために、ヘアスタイリング装置の末端に向かって増大する。
−  様々な異なる付属品が、顎の輪郭にわたって挿入されることができる。
【図面の簡単な説明】
【０００８】
【図１】図１は、本発明によるヘアスタイリング装置を示す。
【０００９】
【図２】図２は、顎からカートリッジが分離された状態での、本発明の装置の分解図を示す。
【００１０】
【図３】図３は、本発明の装置のカートリッジの拡大図を示す。
【００１１】
【図４】図４は、本発明によるヘアスタイリング装置の二つの顎のうちの一方の長手方向の断面図を示す。
【００１２】
【図５】図５は、本発明によるヘアスタイリング装置のさらなる実施形態の二つの顎のうちの一方の長手方向の断面図を示す。
【００１３】
【図６】図６は、閉鎖された位置にある二つの顎のうちの一方に装着されたカートリッジを含む本発明によるヘアストレート化アイロンの輪郭図を示す。
【００１４】
【図７】図７は、閉鎖された位置にある二つの顎のそれぞれに装着されたカートリッジを含む本発明によるヘアストレート化アイロンを示す。
【００１５】
【図８】図８は、半開放状態の二つの顎を示す。
【００１６】
【図９】図９は、顎から取りはずし可能な櫛を有する、本発明によるヘアストレート化アイロンを示す。
【００１７】
【図１０】図１０は、使用時に二つの顎のうちの一方から液滴が噴霧される、本発明によるヘアストレート化アイロンを示す。
【００１８】
【図１１−１２】図１１及び１２は、放出口についての様々な位置を示し、これらの放出口は、二つの顎の関節接合から離れるにつれて大きくなる。
【００１９】
【図１３−１４】図１３及び１４は、図１１及び１２に示される加熱板のそれぞれの断面を示す。
【発明を実施するための形態】
【００２０】
本発明は、ヘアスタイリング装置を開示し、特に、髪をスタイリングするためのヘアストレート化アイロン１を開示する。
【００２１】
図１に示される装置は、開放位置と閉鎖位置との間で関節接合された二つの顎２を含み、それは、髪のふさを把持することを可能にする。関節接合は、開放位置において二つの顎２を維持するためのばねを組み入れたヒンジの周りで実現されることができる。
【００２２】
二つの顎２は、顎の内側に複数の加熱板１２を含み、二つの加熱板１２が、閉鎖位置において髪のふさを圧縮することを可能にするように配置されている。これらの加熱板は、図に示されるように平滑であることができ、又は髪において特定のスタイリング効果（ウェーブ、クリンプなど）を作り出すようにレリーフを含むことができる。加熱板１２は、電気的手段（抵抗、セラミック板など）によって加熱される。
【００２３】
顎２は、この目的のために与えられた中空部５の中に配置されたカートリッジを含む。これにより、図２に示されるように、装置の細長い輪郭の妨げが可能な限り減少される。好ましくは、カートリッジ３は、顎２の上に除去可能に設置されている。凹所４が他方の顎（つまり、カートリッジ３を含まない方の顎）に、カートリッジ３の正面に与えられている。凹所４は、二つの把持顎が閉鎖位置にあるときに、カートリッジ３の下部を収容することができる。本発明のより効率的な装置では、図７に示されるように、二つの顎２のそれぞれはカートリッジ３を備えていることが想定される。これは、二つの加熱板１２の上での同時噴霧を活性化するためである。他方、使用者は、一方の加熱板又は他方の加熱板での噴霧を活性化するように選択することができる。
【００２４】
図３及び４に示されるように、カートリッジ３は、貯蔵器６を含む。この貯蔵器６は、特定の量（好ましくは１０〜２０ｍｌ）の液体を含むことができる。含まれる液体は、一般的には水であるが、美的な側面及び髪のスタイリング工程を促進する観点から、他のタイプの液体又は添加剤（アルガンオイル、香料など）も想定されることができる。
【００２５】
他方、カートリッジ３は、超音波プローブ９（圧電変換器又はそれと等価な要素など）を含む。カートリッジ３への圧電変換器の取り付けは、溝１８を使用することによって実行される。この溝１８は、取り付けリング１３を定位置に保持することを可能にし、この取り付けリング１３は、次に、カートリッジの出口１５を通して変換器９を定位置に保持するための手段を与える。封止（図示されず）が、変換器９を通って噴霧されるべき液体のための専用の通路を可能にする。
【００２６】
超音波変換器９のおかげで、カートリッジ３の貯蔵器中に見出される液体は、微細な液滴の分散体に変換されて、ミストを形成するだろう。液滴の分散体は、カートリッジの出口１５を通して脱出して、加熱板１２の送達キャビティ１６を通過するだろう。カートリッジ３を含む中空部５は、図４に示されるように出口１５が送達キャビティ１６に導かれるように配置されている。
【００２７】
変換器９は一つ以上の微穿孔１４をさらに含む。これらの微穿孔は、液滴を送達キャビティ１６に向かって放出することを可能にする。加熱板１２は、その表面にわたって分布された放出口１１を含み、それを通して液滴が排出されるだろう。このようにして、二つの顎の間に配置された髪のふさは、図１０に示されるように、微小な液滴によって湿潤される。
【００２８】
放出口１１の数、寸法、及び分布は、本発明の実施形態によって異なる。図４では、放出口１１は四つあり、加熱板１２の中央に配置されている。図１１及び１２は、放出口１１を実現するための他の可能な選択肢を示す。図１２に示される放出口１１の寸法は、液滴の流量を均一にするために、顎の関節接合とは反対の加熱板の端に向かって増大する。
【００２９】
貯蔵器は、貯蔵器６の上のカートリッジ３の入口の上に配置されたキャップ１７を含む開口のおかげで充填されることができる。この開口は、好ましくはカートリッジ３の下に配置されており、カートリッジが顎２から除去されたときにのみ開放されることができる。他方、カートリッジ３は、図４に示されるように、カートリッジ３をその中空部５から解放する固定機構１０によって顎へと取り付けられる。
【００３０】
カートリッジ３は、変換器９への電力供給を可能にする一つ以上のピンをさらに含む。これらのピンは、変換器９を活性化するためのスイッチと連通している。従って、カートリッジ３の設置中、ピンは、電気接点を確立する。このようにして、ミストの生成は、変換器９のスイッチの活性化によって、使用者によって制御される。
【００３１】
図５に示される好ましい実施形態では、カートリッジ３は、変換器９を含む出口１５と貯蔵器６の間に位置された移行空間７を含む。この移行空間７は、貯蔵器６と連通しており、吸収体要素８（スポンジやフェルトなど）を含む。この吸収体要素８は、貯蔵器６から来る特定の量の液体を吸収する。吸収体要素８は、変換器９の近くに一定レベルの湿気を継続的に維持することを可能にする。
【００３２】
一つの有利な実施形態では、変換器の周波数及び／又は振幅を調整するための手段が、使用者がミストの量を調整することができるようにするために与えられている。それに加えて、ミストの強度を示すための指示器が与えられてもよい。
【００３３】
加熱板１２のための加熱手段を活性化するためのスイッチとともに、加熱手段の活性化状態を示すための指示器も与えられる。加熱板１２の温度の指示器も与えられることができる。
【００３４】
本発明の一つの好ましい実施形態では、顎の開放を検出するためのセンサーが与えられる。このセンサーのおかげで、エネルギーを節約することができる。なぜなら、ミストの生成は、顎が長く開放されたままになると停止されるからである。このようにして、もし開放時間が特定の閾値を超えると、レセプタクル１９の電力供給が停止されるだろう。
【００３５】
それに加えて、本発明のヘアストレート化アイロン１は、顎の開放時のミストの強度をサーボ制御するための手段を含むことができる。前記サーボ制御手段は、変換器の周波数及び／又は振幅を調整するための手段に連結された、顎の開放度合いを検出するための手段を含むことができる。これは、極めて効率的なミスト生成を可能にし、それは、ヘアストレート化アイロン１の閉鎖（つまり、髪がその間に把持されたとき）に伴なって増大されるだろう。このようにして、ヘアストレート化アイロンは、その使用時のエネルギーを節約することができる。
【００３６】
本発明の一つの特定の実施形態では、ヘアストレート化アイロン１は、安全手段を含む。この安全手段は、特定の温度閾値（一般的には約２３０℃）を超えることを防止することを可能にする。
【００３７】
本発明のヘアストレート化アイロンは、図２に示されるように、加熱板から来るミストを照明するために、ＬＥＤなどの照明手段１９も含む。この照明手段１９は、顎の間に配置される。
【００３８】
光に基づく、又は音に基づく、又は他のタイプの信号によって貯蔵器６の中の液体の非存在を示すために、充填レベルを検出するためのプローブが貯蔵器６の中に配置されることができる。
【００３９】
本発明の一つの特定の実施形態では、顎は、それらの輪郭に櫛２０を含む。この櫛２０は、様々な寸法、高さ、及び形状のものであることができる。櫛２０は、様々な用途のさめに与えられることができる。図９は、顎から取りはずし可能な櫛２０を有する、本発明によるヘアストレート化アイロン１を示す。
【００４０】
ヘアストレート化アイロンはまた、顎２の外部表面上に配置されたカバー板２１も含むことができる（図４）。これらのカバー板は、平滑であるか、又はヘアストレート化アイロンの周りに巻かれた髪に何らかの形状を与えるためにレリーフを含むことができる。カバー板は、伝導及び／又は放射によって加熱される。
【００４１】
超音波変換器９は、変換器の活性化スイッチによっていつでも不活性化されることができる。また、それは、加熱板の加熱手段が活性化されていなくても活性化されることができる。カートリッジ３が空のとき、又はもし使用者がそこに薬剤を添加したい場合、カートリッジ３は、固定機構１０を解除することによって除去されることができる。
【符号の説明】
【００４２】
１：ヘアスタイリング装置
２：関節接合された顎
３：カートリッジ
４：凹所
５：受け入れ中空部
６：貯蔵器
７：移行空間
８：吸収体要素
９：超音波変換器
１０：固定機構
１１：放出口
１２：加熱板
１３：取り付けリング
１４：変換器中の微穿孔
１５：カートリッジの出口
１６：送達キャビティ
１７：貯蔵器のキャップ
１８：溝
１９：ミストを照明するための手段
２０：櫛
２１：カバー板
【図１】
2020501645.tif 000003
【図２】
2020501645.tif 000004
【図３】
2020501645.tif 000005
【図４】
2020501645.tif 000006
【図５】
2020501645.tif 000007
【図６】
2020501645.tif 000008
【図７】
2020501645.tif 000009
【図８】
2020501645.tif 000010
【図９】
2020501645.tif 000011
【図１０】
2020501645.tif 000012
【図１１−１２】
2020501645.tif 000013
【図１３−１４】
2020501645.tif 000014
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
複数の加熱板（１２）を有する二つの関節接合された顎（２）を含むヘアスタイリング装置（１）であって、前記装置は、少なくとも一つのカートリッジ（３）を含み、前記カートリッジ（３）は、使用時に液体を含み、前記カートリッジ（３）は、超音波変換器（９）を含み、前記超音波変換器（９）は、微穿孔（１４）を有し、前記微穿孔（１４）は、使用時に液体が液滴の分散体へと変換されることを可能とし、前記少なくとも一つのカートリッジ（３）は、出口（１５）を含み、前記出口（１５）は、前記加熱板（１２）の少なくとも一つに配置された送達キャビティ（１６）を通して前記液滴の分散体を、加熱板（１２）の表面にわたって分布された放出口（１１）へと送達することを可能にすることを特徴とするヘアスタイリング装置。
【請求項２】
前記装置は、変換器の振動の周波数及び／又は振幅を調整するための手段を含むことを特徴とする、請求項１に記載のヘアスタイリング装置。
【請求項３】
前記装置は、顎の開放時の変換器の強度をサーボ制御するための手段を含み、前記サーボ制御手段は、変換器の振動の周波数及び／又は振幅を調整するための手段に連結された、顎の開放度合いを検出するための手段を含むことを特徴とする、請求項２に記載のヘアスタイリング装置。
【請求項４】
前記カートリッジ（３）は、貯蔵器（６）、及び変換器（９）と貯蔵器（６）を接続する移行空間（７）を含み、前記移行空間（７）は、前記変換器（９）の近くに継続的な湿気を維持するための手段を提供する吸収体要素（８）を含むことを特徴とする、請求項１〜３のいずれかに記載のヘアスタイリング装置。
【請求項５】
前記カートリッジ（３）は、溝（１８）を含み、その中に、超音波変換器（９）を含む取り付けリング（１３）が取り付けられていることを特徴とする、請求項１〜４のいずれかに記載のヘアスタイリング装置。
【請求項６】
前記カートリッジ（３）は、顎（２）内に与えられている受け入れ中空部（５）の中に除去可能に設置されていることを特徴とする、請求項１〜５のいずれかに記載のヘアスタイリング装置。
【請求項７】
前記装置は、貯蔵器（６）の充填レベルを検出するためのプローブを含むことを特徴とする、請求項１〜６のいずれかに記載のヘアスタイリング装置。
【請求項８】
前記装置は、液滴の分散体を照明するための手段（１９）を含むことを特徴とする、請求項１〜７のいずれかに記載のヘアスタイリング装置。
【請求項９】
伝導性材料から作られたカバー板（３０）が顎（２）の上に取り付けられており、顎（２）は、伝導及び／又は放射によって二つの加熱板（２）のうちの少なくとも一つによって使用時に加熱されることができることを特徴とする、請求項１〜８のいずれかに記載のヘアスタイリング装置。
【請求項１０】
前記装置は、加熱板の温度の指示器を含むことを特徴とする、請求項１〜９のいずれかに記載のヘアスタイリング装置。
【請求項１１】
放出口（１１）の寸法は、液滴の流量を均一にするために、ヘアスタイリング装置（１）の末端に向かって増大することを特徴とする、請求項１〜１０のいずれかに記載のヘアスタイリング装置。
【請求項１２】
様々な異なる付属品（２０）が、顎（２）の輪郭にわたって挿入されることができることを特徴とする、請求項１〜１１のいずれかに記載のヘアスタイリング装置。
【国際調査報告】
2020501645.tif 000015
2020501645.tif 000016
2020501645.tif 000017
2020501645.tif 000018